【手続補正書】
【提出日】平成18年10月20日(2006.10.20)
【手続補正１】
【補正対象書類名】明細書
【補正対象項目名】発明の名称
【補正方法】変更
【補正の内容】
【発明の名称】循環注文搬送装置
【手続補正２】
【補正対象書類名】明細書
【補正対象項目名】特許請求の範囲
【補正方法】変更
【補正の内容】
【特許請求の範囲】
【請求項１】 注文飲食客に注文飲食物を移送する循環注文搬送装置であって、該循環注文搬送装置は注文飲食物を正逆に循環移送可能で注文飲食客の座席位置で注文飲食物を停止する手段を備えていることを特徴とする循環注文搬送装置。
【請求項２】  前記注文飲食物を停止する手段は、注文飲食物が注文飲食客の座席位置まで移送されたときに、前記循環注文搬送装置の駆動を停止するものである請求項１に記載の循環注文搬送装置。
【請求項３】  前記注文飲食物を停止する手段は、注文飲食物が注文飲食客の座席位置まで移送されたときに、停止部材を注文飲食物の載置容器に当接してその移送を阻止するものである請求項１に記載の循環注文搬送装置。
【請求項４】  前記循環注文搬送装置はリニアモータ駆動の吊り下げ式回走である請求項項１ないし３の何れかに記載の循環注文搬送装置。
【請求項５】  前記注文飲食物を注文飲食客の対面側の飲食客の視界から遮る目隠し板を前記循環注文搬送装置の支持台中央部に立設した請求項１ないし４のいずれかに記載の循環注文搬送装置。
【請求項６】  前記注文飲食物を停止する手段は、注文飲食物が停止した時に、注文飲食客に告知する手段を作動させる請求項１ないし５のいずれかに記載の循環注文搬送装置。
【請求項７】  前記注文飲食物を停止する手段は、注文飲食物が採られた後は該停止手段の作動を解除する請求項１ないし６のいずれかに記載の循環注文搬送装置。
【請求項８】  前記注文飲食物を停止する手段は、注文飲食物が所定時間以上停止している場合に、該停止手段の作動を解除し、注文飲食物を前記循環注文搬送装置より排除する請求項１ないし６のいずれかに記載の循環注文搬送装置。
【請求項９】  飲食客エリア内を飲食物を載置して循環する無端状の循環搬送路を備える循環型飲食物搬送装置を備え、前記循環注文搬送装置より排除される注文飲食物は、該循環注文搬送装置より前記飲食客エリア内を循環する無端状の循環搬送路に移送される請求項８に記載の循環注文搬送装置。
【請求項１０】  前記飲食客の座席近傍には注文伝達手段が配備されている請求項１ないし９の何れかに記載の循環注文搬送装置。
【請求項１１】  飲食客エリア内を飲食物を載置して循環する無端状の循環搬送路を備える循環型飲食物搬送装置を備え、前記無端状の循環搬送路は対面式カウンターに配備され、前記循環注文搬送装置は前記カウンターの中間部上方に設けられている請求項１ないし１０の何れかに記載の循環注文搬送装置。
【手続補正３】
【補正対象書類名】明細書
【補正対象項目名】０００１
【補正方法】変更
【補正の内容】
【０００１】
【発明の属する技術分野】
本発明は、注文飲食客に注文飲食物を移送する循環注文搬送装置に関する。
【手続補正４】
【補正対象書類名】明細書
【補正対象項目名】０００６
【補正方法】変更
【補正の内容】
【０００６】
本発明は、上記問題点を解決するためになされたもので、人手を掛けずに注文飲食物を注文飲食客に手早く且つ確実に送り届けることができる専用の循環注文搬送装置を提供することを目的としている。
【手続補正５】
【補正対象書類名】明細書
【補正対象項目名】０００７
【補正方法】変更
【補正の内容】
【０００７】
【課題を解決するための手段】
上記目的を達成するために、本発明の循環注文搬送装置は、注文飲食客に注文飲食物を移送する循環注文搬送装置であって、該循環注文搬送装置は注文飲食物を正逆に循環移送可能で注文飲食客の座席位置で注文飲食物を停止する手段を備えていることを特徴としている。
この特徴によれば、注文した飲食物が搬送装置により送り届けられるので人手が掛からず、しかも注文飲食客のところで飲食物が停止するので見逃してしまうようなことはなく、次の注文飲食客に対する注文搬送も連続してできる。
【手続補正６】
【補正対象書類名】明細書
【補正対象項目名】０００８
【補正方法】変更
【補正の内容】
【０００８】
本発明の循環注文搬送装置において、前記注文飲食物を停止する手段は、注文飲食物が注文飲食客の座席位置まで移送されたときに、前記循環注文搬送装置の駆動を停止するものであるのが好ましい。
このようにすると、座席位置と駆動による移動距離を関連付けることで、注文飲食物を注文飲食客の席のところに正確に搬送することができる。
【手続補正７】
【補正対象書類名】明細書
【補正対象項目名】０００９
【補正方法】変更
【補正の内容】
【０００９】
上記本発明の循環注文搬送装置において、前記注文飲食物を停止する手段は、注文飲食物が注文飲食客の座席位置まで移送されたときに、停止部材を注文飲食物の載置容器に当接してその移送を阻止するものであるのが好ましい。
このようにすると、循環注文搬送装置の駆動を停止することなく注文飲食物を停止できるので、次の注文飲食物の搬送において、搬送装置の再起動の必要がない。
【手続補正８】
【補正対象書類名】明細書
【補正対象項目名】００１０
【補正方法】変更
【補正の内容】
【００１０】
上記本発明の循環注文搬送装置において、前記循環注文搬送装置はリニアモータ駆動の吊り下げ式回走であるのが好ましい。
このように循環注文搬送装置をリニアモータ駆動とすることで搬送時の騒音を抑えられる。
【手続補正９】
【補正対象書類名】明細書
【補正対象項目名】００１１
【補正方法】変更
【補正の内容】
【００１１】
上記本発明の循環注文搬送装置において、飲食客エリア内を飲食物を載置して循環する無端状の循環搬送路を備える循環型飲食物搬送装置を備え、前記無端状の循環搬送路は対面式カウンターに配備され、前記循環注文搬送装置は前記カウンターの中間部上方に設けられているのが好ましい。
このようにすると、循環注文搬送装置がカウンターより高いところにあるので、通常の循環型飲食物搬送路と区別でき、途中で注文飲食物が誤って注文していない他の飲食客に採られてしまうことが防げる。
【手続補正１０】
【補正対象書類名】明細書
【補正対象項目名】００１２
【補正方法】変更
【補正の内容】
【００１２】
上記本発明の循環注文搬送装置において、前記注文飲食物を注文飲食客の対面側の飲食客の視界から遮る目隠し板を前記循環注文搬送装置の支持台中央部に立設するのが好ましい。
このようにすると、注文飲食物が停止したときに、対面側の飲食客は目隠し板でその注文飲食物が見えないので誤って採ってしまうようなことは起きない。
【手続補正１１】
【補正対象書類名】明細書
【補正対象項目名】００１３
【補正方法】変更
【補正の内容】
【００１３】
上記本発明の循環注文搬送装置において、前記注文飲食物を停止する手段は、注文飲食物が停止した時に、注文飲食客に告知する手段を作動させるのが好ましい。
このようにすると、ランプやブザー等の告知手段により注文飲食物が届いたことを注文飲食客に知らせることができる。
【手続補正１２】
【補正対象書類名】明細書
【補正対象項目名】００１４
【補正方法】変更
【補正の内容】
【００１４】
上記本発明の循環注文搬送装置において、前記注文飲食物を停止する手段は、注文飲食物が採られた後は該停止手段の作動を解除するのが好ましい。
このようにすると、次に待機させていた注文飲食物を直ちに搬送することができる。
【手続補正１３】
【補正対象書類名】明細書
【補正対象項目名】００１５
【補正方法】変更
【補正の内容】
【００１５】
上記本発明の循環注文搬送装置において、前記注文飲食物を停止する手段は、注文飲食物が所定時間以上停止している場合に、該停止手段の作動を解除し、注文飲食物を前記循環注文搬送装置より排除するのが好ましい。
このようにすると、他の飲食客の注文に対し長く待たせることなく対応できる。
【手続補正１４】
【補正対象書類名】明細書
【補正対象項目名】００１６
【補正方法】変更
【補正の内容】
【００１６】
上記本発明の循環注文搬送装置において、飲食客エリア内を飲食物を載置して循環する無端状の循環搬送路を備える循環型飲食物搬送装置を備え、前記循環注文搬送装置より排除される注文飲食物は、該循環注文搬送装置より前記飲食客エリア内を循環する無端状の循環搬送路に移送されるのが好ましい。
このようにすると、注文飲食物を無駄にすることなく再利用できる。
【手続補正１５】
【補正対象書類名】明細書
【補正対象項目名】００１７
【補正方法】変更
【補正の内容】
【００１７】
上記本発明の循環注文搬送装置において、前記飲食客の座席近傍には注文伝達手段が配備されているのが好ましい。
このようにすると、インターフォン等の注文伝達手段により飲食客は手軽に注文できる。
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５１
【補正方法】削除
【補正の内容】
【手続補正２０】
【補正対象書類名】明細書
【補正対象項目名】００５２
【補正方法】削除
【補正の内容】
【手続補正２１】
【補正対象書類名】明細書
【補正対象項目名】００５３
【補正方法】削除
【補正の内容】
【手続補正２２】
【補正対象書類名】明細書
【補正対象項目名】００５４
【補正方法】削除
【補正の内容】
【手続補正２３】
【補正対象書類名】明細書
【補正対象項目名】００５５
【補正方法】削除
【補正の内容】
【手続補正２４】
【補正対象書類名】明細書
【補正対象項目名】００５６
【補正方法】削除
【補正の内容】
【手続補正２５】
【補正対象書類名】明細書
【補正対象項目名】００５７
【補正方法】削除
【補正の内容】
【手続補正２６】
【補正対象書類名】明細書
【補正対象項目名】００５８
【補正方法】削除
【補正の内容】
【手続補正２７】
【補正対象書類名】明細書
【補正対象項目名】００５９
【補正方法】削除
【補正の内容】